(57)【要約】      （修正有）【課題】使用状況の変化に柔軟に対応できる無線機を提供する。【解決手段】無線機は、番号および／または数の異なる複数のチャンネルを含む複数の運用モードを備えており、これらの運用モードから、ユーザが使用状況に応じていずれかの運用モードを選択し、その運用モードで通信を行うことができる。複数の運用モードとして、選択可能なチャンネルのうち一部のチャンネルを含む通常チャンネルモード（ａ）と、少なくとも前記通常チャンネルモードの全てのチャンネルを含む拡張チャンネルモード（ｂ）を有する。【選択図】図２
2014127787.tif 000002
【特許請求の範囲】
【請求項１】
周波数の異なる複数のチャンネルのいずれかを用いて通信を行なう無線機であって、
番号および／または数の異なる複数のチャンネルを含む複数の運用モードを有し、これらの運用モードのうちユーザにより選択された運用モードで通信を行うことを特徴とする無線機。
【請求項２】
前記複数の運用モードとして、選択可能なチャンネルのうち一部のチャンネルを含む通常チャンネルモードと、少なくとも前記通常チャンネルモードの全てのチャンネルを含む拡張チャンネルモードとを用いることを特徴とする、請求項１に記載の無線機。
【請求項３】
アンテナで受信した高周波信号を音声信号に変換する受信回路と、
音声信号を高周波信号に変換して前記アンテナに送信する送信回路と、
前記受信回路の受信チャンネルおよび前記送信回路の送信チャンネルを切り換えるチャンネル切換回路と、
前記運用モードに関するデータが格納されたメモリからユーザにより選択された運用モードに関するデータを読み出すと共に、ユーザによって指定されたチャンネルを前記チャンネル切換回路に通知するコントローラと、
ユーザが指定したチャンネルのデータを入力する操作部とを備えたことを特徴とする、請求項１または２に記載の無線機。
【請求項４】
前記運用モードの切り換えは、前記操作部に設けられたモード切換キーが、予め定めた時間を越えて押下されたときに行われることを特徴とする、請求項３に記載の無線機。
【請求項５】
前記運用モードの切り換えは、前記操作部に設けられた複数のキーが同時に押下されたときに行われることを特徴とする請求項３に記載の無線機。
【発明の詳細な説明】
【技術分野】
【０００１】
本発明は、通信チャンネルとして周波数の異なる複数のチャンネルを有する無線機に関する。
【背景技術】
【０００２】
一般に無線機では、通信チャンネルとして周波数の異なる複数のチャンネルが割り当てられており、その中の１つのチャンネルを選択して無線機間での交信が行なわれる（例えば特許文献１参照）。ユーザは、無線機を使用する際に、機能設定用のソフトウェアであるクローニングソフトを用いて、割り当てられたチャンネルの中から交信に使用する複数のチャンネルを選択し、それを選択可能なチャンネルとして設定している。
【０００３】
無線機を用いて交信する際、ユーザは無線機本体に設けられたツマミを回し、もしくはアップ／ダウンキーを押して、設定されたチャンネルの中から１つのチャンネルを選択すると共に、表示部の画面で選択されたチャンネル番号を確認する。このようにして使用するチャンネルを決定した後、交信を行う。
【先行技術文献】
【特許文献】
【０００４】
【特許文献１】特開平６−１４０９５８号公報
【発明の概要】
【発明が解決しようとする課題】
【０００５】
携帯型や車載型の無線機の用途として、消防団のメンバー間の交信に使用する場合がある。携帯型や車載型の無線機は、火事や災害の現場において、もしくは日常の活動において、メンバー間の連絡手段として広く利用されている。
【０００６】
このような用途においては、各地区を管轄する消防団の間で混信が生じないように、消防団毎に異なるチャンネルを用いて交信を行なうのが一般的である。このため、各消防団には、１つもしくは予備を含めた数個のチャンネルが割り当てられ、それ以外のチャンネルは使用できないように設定されている。
【０００７】
その一方、一地区の消防団では対応できないような大規模な火事や災害が発生した場合、近隣の消防団に応援を頼み、複数の消防団が協力して消火活動や救助活動に当たることがある。このような場合には、異なる消防団のメンバー間で交信を行なう必要がある。また複数の消防団を指揮監督するメンバー（監督者）は、各消防団においてどのような交信が行なわれているか確認する必要がある。しかし従来の無線機では、設定されたチャンネル以外のチャンネルによる交信ができない。
【０００８】
このような使用状況の変化に対応するためには、使用する無線機について、全てのチャンネルで交信可能な状態に設定するか、もしくは、全てのチャンネルで交信可能な無線機を、別途用意する必要がある。
【０００９】
しかし、個々の無線機について、全てのチャンネルで交信可能な状態に設定すると、チャンネル選択の際に手間と時間がかかり、更に、普段は使用されたくないチャンネルへの通信を回避できないといった状況も生じてしまう。その一方で、全てのチャンネルで交信可能な無線機を用意するとなると、余分な費用が発生することになる。
【００１０】
本発明はこのような状況に鑑みてなされたもので、使用状況の変化に柔軟に対応できる無線機を提供することを目的とする。
【課題を解決するための手段】
【００１１】
上記目的を達成するため本発明にかかる無線機は、周波数の異なる複数のチャンネルのいずれかを用いて通信を行なう無線機であって、
番号および／または数の異なる複数のチャンネルを含む複数の運用モードを有し、これらの運用モードのうちユーザにより選択された運用モードで通信を行うことを特徴とする。
【００１２】
ここで、前記複数の運用モードとして、選択可能なチャンネルのうち一部のチャンネルを含む通常チャンネルモードと、少なくとも前記通常チャンネルモードの全てのチャンネルを含む拡張チャンネルモードとを用いることが好ましい。
【００１３】
また本発明にかかる無線機は、
アンテナで受信した高周波信号を音声信号に変換する受信回路と、
音声信号を高周波信号に変換して前記アンテナに送信する送信回路と、
前記受信回路の受信チャンネルおよび前記送信回路の送信チャンネルを切り換えるチャンネル切換回路と、
前記運用モードに関するデータが格納されたメモリからユーザにより選択された運用モードに関するデータを読み出すと共に、ユーザによって指定されたチャンネルを前記チャンネル切換回路に通知するコントローラと、
ユーザが指定したチャンネルのデータを入力する操作部とを備えることが好ましい。
【００１４】
また前記運用モードの切り換えは、前記操作部に設けられたモード切換キーが、予め定めた時間を越えて押下されたとき、もしくは前記操作部に設けられた複数のキーが同時に押下されたときに行われることが好ましい。
【発明の効果】
【００１５】
本発明にかかる無線機においては、使用状況に応じて最適の運用モードを選択できるため、携帯用としての利便性が飛躍的に高まる。
【図面の簡単な説明】
【００１６】
【図１】本発明の実施の形態にかかる無線機の構成を示すブロック図である。
【図２】無線機の運用モードを説明する図である。
【図３】運用モードを切り換える際のコントローラにおける処理の流れを示すフローチャートである。
【図４】チャンネルを選択する際のコントローラにおける処理の流れを示すフローチャートである。
【発明を実施するための形態】
【００１７】
以下、本発明の実施の形態にかかる無線機について、図面を参照しながら説明する。なお、以下の説明では、本発明にかかる無線機を、代表的な用途である携帯型の無線機に適用した場合を例として挙げている。
【００１８】
＜無線機の構成＞
図１に、本実施の形態にかかる無線機の構成を示す。無線機１は、アンテナ１１、受信回路１２、送信回路１３、チャンネル切換回路１４、ＡＦ（Audio Frequency）増幅回路１５、スピーカ１６、マイク１７、コントローラ２０、操作部３０および表示部４０で構成されている。図中、太線の矢印は音声信号の流れを示し、細線の矢印は制御系統の信号の流れを示している。
【００１９】
図において、受信回路１２は、アンテナ１１で受信した電波から、チャンネル切換回路１４で選択されたチャンネル（周波数）の高周波信号を取り出して音声信号を再生し、ＡＦ増幅回路１５に供給する。
【００２０】
送信回路１３は、ＡＦ増幅回路１５から供給された音声信号をチャンネル切換回路１４で選択されたチャンネル（周波数）の搬送波を変調し、アンテナ１１から送信する。
【００２１】
チャンネル切換回路１４は、受信回路１２が受信するチャンネル（周波数）と送信回路１３が送信するチャンネル（周波数）を設定する回路で、設定においては、受信回路１２が受信するチャンネルと送信回路１３が送信するチャンネルが同一になるようにする。
【００２２】
ＡＦ増幅回路１５は、受信回路１２から供給された音声信号を増幅してスピーカ１６に出力する。またマイク１７から入力された音声信号を増幅して送信回路１３に供給する。
【００２３】
スピーカ１６は、ＡＦ増幅回路１５から出力された音声信号を音声に変換する。一方、マイク１７は、ユーザの音声を入力として音声信号を生成し、その音声信号をＡＦ増幅回路１５に出力する。
【００２４】
コントローラ２０は、受信回路１２と送信回路１３とを、個別に動作状態または停止状態に設定すると共に、チャンネル切換回路１４に対して設定すべきチャンネルを通知する。コントローラ２０は、ＣＰＵ（Central Processing Unit）２１、ＣＰＵ２１の動作を規定するプログラムを記憶したＲＯＭ（Read Only Memory）２２、ＣＰＵ２１のワークメモリとして機能するＲＡＭ（Random Access Memory）２３、および不揮発性メモリ２４で構成されている。
【００２５】
不揮発性メモリ２４には、無線機１が選択できる全てのチャンネルに関するデータが格納されている。なお、不揮発性メモリ２４へのデータの書き込み、および不揮発性メモリ２４からのデータの読み出しは、ＣＰＵ２１によって行われる。
【００２６】
操作部３０は、種々の入力やユーザの指示をコントローラ２０に伝達するために用いられ、ツマミ、スイッチ、キー等で構成されている。操作部３０には、ＰＴＴ（Press To Talk）スイッチ３１、チャンネル選択ツマミ３２およびモード切換キー３３が含まれる。
【００２７】
ＰＴＴスイッチ３１は、押す（オンにする）と受信回路１２が動作を停止し、送信回路１３が動作状態となってアンテナ１１から送信が行われ、放す（オフにする）と、送信回路１３が動作を停止し、受信回路１２が動作状態となって受信した音声信号の再生が行われる。
【００２８】
ツマミ３２はチャンネルを選択する際に使用され、指で順方向（時計の針の回転方向）に回すとチャンネルの番号が大きくなり、逆方向に回すとチャンネルの番号が小さくなる。モード切換キー３３の機能については、後に図２を参照して詳述する。
【００２９】
表示部４０は液晶ディスプレイ等で構成され、種々のデータを表示するのに用いられる。表示部４０の画面には、無線信号を受信したこと（呼び出しがあったこと）やチャンネル番号等が表示される。
【００３０】
＜使用チャンネルの設定＞
次に、図２を参照して使用するチャンネルの設定について説明する。前述したように、チャンネルの設定にはクローニングソフトが用いられる。ユーザは無線機１の使用開始時に、クローニングソフトを用いて使用するチャンネルの設定を行う。
【００３１】
不揮発性メモリ２４には、無線機１において使用可能な全てのチャンネルに関するデータが格納されている。ユーザが操作部３０のキー等を操作して、不揮発性メモリ２４からチャンネルに関するデータを読み出すと、表示部４０の画面にチャンネル番号が表示される。
【００３２】
図２（ａ）に、Ａ、Ｂ、Ｃの３つのグループで使用するチャンネルの設定方法を示す。例えば、消防団で使用するチャンネルとして１０個のチャンネルが割り当てられているとする。それぞれのグループが近接する場所にある消防団である場合、Ａグループでは１、２、３の３つのチャンネルを使用してメンバー間の交信を行う。同様にＢグループでは４、５、６の３つのチャンネルを使用し、Ｃグループでは７、８、９、１０の４つのチャンネルを使用してメンバー間の交信を行なう。
【００３３】
この場合、Ａグループで使用する無線機１については、３つのチャンネル１、２、３を使用チャンネルとして設定する。設定されたチャンネル番号は不揮発性メモリ２４に格納される。ＢグループおよびＣグループで使用するチャンネルについても、同様にして設定する。
【００３４】
Ａグループに属するメンバーが無線機１を用いて交信する場合、操作部３０のツマミ３２を回してチャンネルを選択すると、表示部４０の画面にチャンネル番号として１、２、３のいずれかが表示される。希望するチャンネル番号が表示されたときにツマミを回すのを止めると、そのチャンネルでの交信が可能となる。
【００３５】
使用チャンネルとして設定されていないチャンネル４〜１０は選択できないため、表示部４０の画面に表示されない。このようにして、Ａグループのメンバーは他のグループのメンバーとの混信を心配することなく、メンバー間で交信を行なうことができる。
【００３６】
上述したチャンネルの設定方法は、従来の無線機と同様であるが、本実施の形態では、番号および／または数の異なる複数のチャンネルを含む複数のモードで運用できる形態を採用している。例えば、図２（ａ）に示す通常チャンネルモードでは、Ａグループのメンバーは３つのチャンネルしか使用できないが、図２（ｂ）に示す拡張チャンネルモードでは、Ａグループのメンバーは１０個のチャンネルを使用できる。
【００３７】
無線機１を図２（ｂ）に示す拡張チャンネルモードで運用する場合、ツマミ３２を回すと、表示部４０の画面にチャンネル番号として１〜１０が表示され、メンバーはそれらの何れかのチャンネルを用いて交信ができる。
【００３８】
図２（ａ）に示すチャンネルの設定内容（通常チャンネルモード）と図２（ｂ）に示すチャンネルの設定内容（拡張チャンネルモード）は、共に不揮発性メモリ２４に格納されるが、いずれか一方のチャンネルの設定内容しか読み出すことができない。前述したように、通常チャンネルモードでは、図２（ａ）に示すチャンネルの設定内容が読み出される。
【００３９】
図２（ｂ）に示す拡張チャンネルモードのチャンネルを読み出すためには、特別な操作が必要となる。具体的には、操作部４０のモード切換キー３３を、予め定められた時間を超えて押し続ける必要がある。
【００４０】
上述した運用モードの切り換えは、無線機１を用いて消防団のメンバー間の交信を行なう場合等に、特に有効である。すなわち、通常の交信においては、少ないチャンネルによるモードで運用すれば、チャンネルの選択に手間がかからないため、メンバー間での迅速な交信が可能となる。これに対し、複数の消防団が協力して消火活動や救助活動に当たる場合には、選択できるチャンネル数の多い拡張チャンネルモードで運用すれば、異なる消防団のメンバーとの間での交信が可能となる。更に、複数の消防団を指揮監督する監督者は、各消防団において行なわれている交信の内容を確認できるため、消火活動や救助活動の状況を的確に把握できる。
【００４１】
なお、運用モードの切換に特別な操作を必要とする理由は、通常チャンネルモードでの運用を優先するためであり、ユーザがモード切換キー３３を押しただけでは、運用モードは切り換わらない。同様の理由で、運用モードを拡張チャンネルモードとした後、無線機１の電源をオフにした場合、再度電源をオンにしたときには、運用モードは通常チャンネルモードに切り換わっている。
【００４２】
運用モードを切り換えるための特別な操作として、上述したモード切換キー３３の長押し以外に、通常では行われない操作、例えば、予め定めた複数のキーを同時に押下する操作も有効である。
【００４３】
＜運用モードの切換処理＞
次に、図３のフローチャートに基づき、運用モードを、図２（ａ）に示す通常チャンネルモードから図２（ｂ）に示す拡張チャンネルモードに切り換える際のコントローラ２０における処理について説明する。なお、図に示したキー長押しタイマはクロックを計数することにより実現される。またチャンネルバッファはＲＡＭ２３で構成され、ソフトウェアにより、チャンネル切り換え時に設定するチャンネル番号をインクリメントまたはデクリメントする。
【００４４】
コントローラ２０は、操作部３０のモード切換キー３３が押下されたことを検出すると（ステップＳ１１でＹｅｓ）、キー長押しタイマを設定して経過時間の測定を開始する（ステップＳ１２）。
【００４５】
測定の途中でモード切換キー３３の押下が解除されず（ステップＳ１３でＮｏ）、更に、キー長押しタイマが、予め定めた時間を経過してタイムアップした場合（ステップＳ１４でＹｅｓ）、コントローラ２０は、運用モードを通常チャンネルモードから拡張チャンネルモードに切り換える（ステップＳ１５）。
【００４６】
引き続いてコントローラ２０は、チャンネルバッファに最小チャンネルを設定し（ステップＳ１６）、更にチャンネル設定の処理を行い（ステップＳ１７）、運用モードの切り換えを終了する。
【００４７】
ここで、最小チャンネルとは、変更された運用モードにおいて選択できるチャンネル番号のうち最小の番号（図２（ｂ）ではチャンネル１）をいう。最小チャンネルを設定するのは、スキャン操作における基準チャンネルを設定するためである。またチャンネル設定は、交信において選択できるチャンネル（図２（ｂ）ではチャンネル１〜１０）を設定する処理である。なお、スキャン操作は、選択された運用モードで設定されている複数のチャンネルを順次切り換えてモニタし、モニタしているチャンネルに入感があるか否かをチェックする操作のことである。
【００４８】
以後、運用モードが図２（ａ）に示す通常チャンネルモードから図２（ｂ）に示す拡張チャンネルモードに変更され、ユーザはチャンネル１〜１０の１０個のチャンネルから希望するチャンネルを選択して交信できる。従って、スキャン操作においても、１〜１０の１０個のチャンネルについて所定の時間間隔で切り換わり、チャンネルが切り換わる毎に当該チャンネルに受信信号があるか否かの検出が行なわれる。
【００４９】
＜チャンネルの切換処理＞
次に、図４のフローチャートに基づき、ツマミ３２を用いて、もしくはスキャン操作によりチャンネルを切り換える際のコントローラ２０における処理について説明する。なお、図に示したエンコーダは、ツマミ３２の回転軸に取り付けられたロータリーエンコーダのことであり、ツマミ３２を順方向に回すとエンコーダの値がアップする。またチャンネルバッファは、図３で説明したチャンネルバッファと同じものである。
【００５０】
ユーザがツマミ３２を回すことによりエンコーダの値がアップすると（ステップＳ２１においてＹｅｓ）、コントローラ２０はチャンネルバッファの値をインクリメントする（ステップＳ２２）。例えば、当初のチャンネルが１の場合、チャンネル２に変更する。
【００５１】
次に、運用モードを確認する（ステップＳ２３）。運用モードが通常チャンネルモードである場合（Ｙｅｓ）、変更後のチャンネル（上の例ではチャンネル２）が、通常チャンネルモードで有効であるか否か、すなわちクローニングソフトにより使用チャンネルとして設定されたチャンネルであるか否かを判断し（ステップＳ２４）、有効な場合には（Ｙｅｓ）、通信チャンネルとして設定する処理を行う（ステップＳ２６）。これに対し、変更後のチャンネルが通常チャンネルモードで有効でない場合には（ステップＳ２４でＮｏ）、ステップＳ２２の処理に戻る。
【００５２】
一方、ステップＳ２３の処理において運用モードが通常チャンネルモードでない、すなわち拡張チャンネルモードである場合（Ｎｏ）、変更後のチャンネル（図２（ｂ）の例ではチャンネル２）が、拡張チャンネルモードで有効であるか否か判断し（ステップＳ２５）、有効な場合には（Ｙｅｓ）、通信チャンネルとして設定する処理を行い（ステップＳ２６）、そうでない場合には（ステップＳ２５でＮｏ）、ステップＳ２２の処理に戻る。
【００５３】
なお、図４のフローチャートでは、ツマミ３３を順方向に回転させる場合の処理について説明したが、ツマミ３３を逆方向に回転させる場合にも、同様の処理が行われる。この場合、エンコーダのダウンを監視し、エンコーダがダウンした場合、チャンネルバッファの値をデクリメントする。例えば、当所のチャンネルが２の場合、チャンネル１に変更する。
【００５４】
以上説明したように、本発明にかかる無線機においては、使用状況に応じて最適の運用モードを選択できるため、携帯用としての利便性が飛躍的に高まる。
【００５５】
なお、上述の実施の形態では、本発明を携帯型の無線機に適用した場合について説明したが、これに限定されない。本発明を車載型や据置き型の無線機に適用しても、同様の効果を得られることは云うまでもない。
【００５６】
また上述の実施の形態では、運用モードとして、選択可能なチャンネルのうち一部のチャンネルを含む通常チャンネルモードと、通常チャンネルモードの全てのチャンネルを含む拡張チャンネルモードとを用いる場合について説明したが、この例に限定されない。無線機の使用状況に応じて様々な運用モードを採用できることは云うまでもない。
【００５７】
また上述の実施の形態では、無線機の電源がオフの場合にデータが消滅しないように、運用モードに関するデータ（すなわち通常チャンネルモードおよび拡張チャンネルで使用可能なチャンネルのデータ）を不揮発性メモリに格納したが、これらのデータをバッテリでバックアップされたＲＡＭに格納するようにしてもよい。
【符号の説明】
【００５８】
１  無線機
１１  アンテナ
１２  受信回路
１３  送信回路
１４  チャンネル切換回路
１５  ＡＦ増幅回路
１６  スピーカ
１７  マイク
２０  コントローラ
２１  ＣＰＵ
２２  ＲＯＭ
２３  ＲＡＭ
２４  不揮発性メモリ
３０  操作部
３１  ＰＴＴスイッチ
３２  ツマミ
３３  モード切換キー
４０  表示部
【図１】
2014127787.tif 000003
【図２】
2014127787.tif 000004
【図３】
2014127787.tif 000005
【図４】
2014127787.tif 000006